(57)【要約】【課題】住宅設備機器の各種データを無線及び回線を通じてセンター側と通信するに際し、特に無線機親機の設置環境が変化しても問題の無いようにする。【解決手段】無線機親機６に定期的に無線の電波出力状況を判定するキャリアビジーカウント部７を設けている。これによって、無線機親機６の設置状態の良否を無線機親機６のみでの判定が可能となり、事前にセンター側装置１０等への異常通報を行うことができる。【選択図】  図１
2004180105.tif 000002
【特許請求の範囲】
【請求項１】
住宅設備機器に設けられた無線機子機と、前記住宅設備機器の各種データを収集するセンター側装置と、前記住宅設備機器の各種データを収集するために無線回線を介して前記無線機子機と通信すると共に前記センター側装置と回線を通じて通信する無線機親機とを備え、前記無線機親機は、前記センター側装置からの信号により前記無線機子機に電文を送信した後、この電文に対する応答電文を受信する送受信手段及び定期的に電波状況を確認し、且つ電波が使用されている回数をカウントするキャリアビジーカウント部を有する無線データ収集システム。
【請求項２】
無線機親機は、キャリアビジーカウント部でカウントした数により報知する報知手段を有する請求項１記載の無線データ収集システム。
【請求項３】
無線機親機は、キャリアビジーカウント部に替えてキャリアビジー時間カウント部を有する請求項２記載の無線データ収集システム。
【請求項４】
無線機親機は、キャリアビジー時間カウント部で計測した時間帯を判別できるカレンダ部を有する請求項３記載の無線データ収集システム。
【請求項５】
無線機親機は、キャリアビジーカウント部に替えて複数ｃｈキャリアビジー判定部を有する請求項２記載の無線データ収集システム。
【請求項６】
請求項１〜５のいずれか１項記載の無線機親機の手段の全てもしくは一部としてマイコンなどのコンピュータを機能させるためのプログラム。
【請求項７】
請求項１〜５のいずれか１項記載の無線機親機の有する機能の少なくとも一部をマイコンに実行させるためのプログラム。
【発明の詳細な説明】
【０００１】
【発明の属する技術分野】
本発明は、住宅設備機器の各種データを無線及び回線を通じてセンター側と通信を行う無線データ収集システムに関し、更に詳しくは、無線機親機と無線機子機の設置時の動作に係る無線データ収集システムに関するものである。
【０００２】
【従来の技術】
従来のこの種の無線データ収集システムは図６に示すものが一般的であった。
図６において、２１は各家庭にあるガスメータである。２２はガスメータ２１に取り付け（もしくは内蔵）されている無線機子機である。２５は公衆回線等との通信を行うと共に無線機子機２２と無線通信を行う無線機親機である。２６は無線機親機２５または無線機子機２２の無線データを送受信する送受信手段である。
２７は電話回線等の回線である。２８は回線２７を通じて無線機親機２５と通信を行いガスメータ２１の各種データの収集を行うセンター側装置である（例えば、特開文献１参照）。
【０００３】
図６において、無線機親機２５と無線機子機２２の通信は、センター側装置２８からの信号により無線機親機２５が周辺の電波状況を確認した後無線信号に変えて無線信号を出力する。無線機子機２２は前記無線信号を受信しガスメータ２１等の機器へ信号を出力し、その逆の手順によりセンター側装置２８へ応答データを上げる。
【０００４】
また、ガスメータ２１が異常を検知してガスを遮断した場合等にガスメータ２１からの信号により無線機子機２２が周辺の電波状況を確認した後無線信号に変えて無線信号を出力する。無線機親機２５は前記無線信号を受信しセンター側装置２８へ信号を出力しセンター側装置２８が受信完了信号を下流側に送る。後はまた逆の手順で無線機子機２２やガスメータ２１まで信号を送る。
【０００５】
【特許文献１】
特開２００２−１７０１８６号
公報（実施例１、図１）
【０００６】
【発明が解決しようとする課題】
しかしながら、上記従来の無線データ収集システムでは、最初は無線通信可能であっても無線機親機２５の位置が変えられてパソコンや他の無線機の近隣に設置された場合無線通信が出来ず、ガスメータ２１からの緊急通報が発生した場合でもセンター側装置２８に通報することが出来ない。また、無線通信を可能にするには、無線機親機２５とパソコンや他の無線機との距離を離す必要がある。従来の無線データ収集システムには以上のような課題があった。
【０００７】
【課題を解決するための手段】
本発明は上記課題を解決するため、無線機親機に、定期的に電波状況を確認しその電波使用状況をカウントするキャリアビジーカウント部を設けることにより、無線機親機自体が無線機親機の設置場所の良否を判別可能にしたものである。
【０００８】
上記発明によれば、設置後無線機親機の場所が変えられパソコンや他の無線機の近隣に設置された場合でもセンター側へ事前に通報することができ、より安全性の高いシステムの構築が可能となる。
【０００９】
【発明の実施の形態】
本発明の請求項１にかかる無線データ収集システムは、住宅設備機器に設けられた無線機子機と、前記住宅設備機器の各種データを収集するセンター側装置と、前記住宅設備機器の各種データを収集すべく無線回線を介して前記無線機子機と通信を行うと共に前記センター側装置と回線を通じて通信を行う無線機親機とで構成され、無線機親機はセンター側装置からの信号により無線電文を送信し送信した電文に対する応答電文を受信する送受信手段と、定期的に電波状況を確認し電波が使用されている回数をカウントするキャリアビジーカウント部を有するものである。そして、無線機親機のキャリアビジーカウント部によって定期的に電波状況を測定し、同じ周波数帯の電波状況が多い場合はセンター側装置に設置状況の良否を通報することができる。
【００１０】
また、本発明の請求項２にかかる無線データ収集システムは、無線機親機が有するキャリアビジーカウント部でカウントした数により報知する報知手段を有するものである。そして、無線機親機のキャリアビジーカウント部によって定期的に電波状況を測定し、同じ周波数帯の電波状況が多い場合はセンター側装置に設置状況の良否を通報することに加え無線機親機自身で異常報知を行うことができ、より高精度な無線機親機の設置場所を確保することができる。
【００１１】
また、本発明の請求項３にかかる無線データ収集システムは、無線機親機が有したキャリアビジーカウント部に変えてキャリアビジー時間カウント部を有するものである。そして、無線機親機のキャリアビジー時間カウント部によって定期的に電波状況を測定し、同じ周波数帯の電波使用時間状況が長い場合はセンター側装置に設置状況の良否を通報することができ、より高精度な無線機親機と無線機子機の設置場所を確保することができる。
【００１２】
また、本発明の請求項４にかかる無線データ収集システムは、無線機親機が有したキャリアビジーカウント部に加えどの時間帯に同じ周波数が使用されているかを判定するカレンダ部を有するものである。そして、無線機親機のキャリアビジーカウント部によって定期的に電波状況を測定し、同じ周波数帯の電波使用回数及びカレンダ部による時間帯別の電波使用状況が把握できることにより無線機親機の設置状況の良否を通報することができ、より高精度な無線機親機の設置場所を確保することができる。
【００１３】
また、本発明の請求項５にかかる無線データ収集システムは、無線機親機が有したキャリアビジーカウント部に変えて近接する複数の周波数が全て使用中にあるかを判定する複数ｃｈキャリアビジー判定部を有するものである。そして、無線機親機の複数ｃｈキャリアビジー判定部によって定期的に電波状況を測定し、近接する複数の周波数帯を使用していると判断できることにより無線機親機の設置状況の良否を通報することができ、より高精度な無線機親機の設置場所を確保することができる。
【００１４】
本発明の請求項６にかかるプログラムは、請求項１〜５のいずれか１項記載の無線機親機の手段の全てもしくは一部としてマイコンなどのコンピュータを機能させるためのプログラムである。そして、プログラムであるのでマイクロコンピュータ等を用いて本発明の無線機親機の一部あるいは全てを容易に実現することができる。また記録媒体に記録したり通信回線を用いてプログラムを配信したりすることでプログラムの配布やインストール作業が簡単にできる。
【００１５】
【実施例】
以下、本発明の実施例について図面を用いて説明する。
【００１６】
（実施例１）
図１は本発明の実施例１の無線データ収集システムを示すブロック図である。
図１において、１は各家庭にあるガスメータである。２はガスメータ１に取り付け（もしくは内蔵）されている無線機子機である。６は公衆回線等との通信を行うと共に無線機子機２と無線通信を行う無線機親機である。
【００１７】
無線機親機６において、５はセンター側装置１０からの信号を無線信号に変えて無線機子機２側へ無線送信を行い。また無線機子機２からの無線受信も行う送受信手段である。７は無線機親機６が定期的に同じ周波数の電波が出力されているかを確認しその回数をカウントするキャリアビジーカウント部である。９は電話回線等の回線である。１０は回線９を通じて無線機親機６と通信を行いガスメータ１の各種データの収集を行うセンター側装置である。
【００１８】
図１において、センター側装置１０は回線９を通じて無線機親機６に対してガスメータ１の検針値やセキュリティデータ等の各種データの収集指令を送る。ここでの回線９は有線電話回線やＰＨＳやＰＤＣ、ＰＤＣＰ等の無線電話回線でもよいし、システム占有の専用回線でもよい。無線機親機６は内蔵された送受信手段５ｂによりセンター側装置１０からの指令を無線を用いて送信する。無線機子機２は内蔵された送受信手段５ａにより無線機親機６からの無線信号を受信すると、ガスメータ１の動作状態やデータを収集しその結果を再び無線を通じて無線機親機６へ送る。無線機親機６は内蔵された送受信手段５ｂにより無線機子機２からの無線応答を受信するとその内容を回線９を通じてセンター側装置１０へ送る。
【００１９】
また、ガスメータ１がガスの使いすぎのためガスを遮断させた場合は、ガスメータ１から無線機子機２へ遮断信号を送る。無線機子機２は遮断信号を無線信号に変え送受信手段５ａにより無線出力する。無線機親機６はこの無線信号を送受信手段５ｂにより受信しセンター側装置１０へ通報を行う。
【００２０】
しかし、無線機親機６と無線機子機２を設置した時はパソコンや他の無線機の近隣に設置されていてもパソコンや他の無線機、例えば無線ＬＡＮや無線ＩＳＤＮの機器の近くにおかれた場合、以降無線関連機器と呼ぶ、が動作していない場合正常に無線通信を行っていても、近隣に設置された無線関連機器がインターネット閲覧等のために動作することで無線通信が正常に出来なくなる。
【００２１】
また、部屋の模様替え等により無線機親機６の設置場所が無線関連機の周辺におかれた場合、その無線関連機器が使用中であれば、同じように無線通信が出来なくなる。これは、無線機親機６が無線送信する時には必ず他の電波が出ていないか確認してから電波を出力する規定になっているため、無線機親機６が無線を出力しようとしたとき無線関連機器との設置位置が近く且つ、その無線関連機器が動作中であれば、その無線関連機器からのノイズ等により近くの同じ無線システムが動作中と誤認識し、無線通信を途中で中断し全く無線通信ができなくなる。
【００２２】
そこで、無線機親機６に内蔵したキャリアビジーカウント部により定期的に例えば１０分毎に同じ周波数帯の電波の出力の有無を確認し電波が出力されていると判断するとカウントアップする。
【００２３】
また、その回数が所定回数（例えば１０回）以上になった場合は、無線機親機６はセンター側装置１０へ無線機親機６の設置環境の変化を通報し、ガスメータ１等からの異常通報がセンター側装置へ通報できないことを事前に知らせることができる。ここでキャリアビジーカウント部７は送受信手段５と一体の構成でも良い。
【００２４】
以上のように、無線機親機と無線機子機を設置した後。ガスメータ１等からの緊急通報が他の無線関連機器との設置状況により不能となることが事前に判定できるため、システムの無線データの送受信動作を高信頼性をもって実現することができる。
【００２５】
（実施例２）
図２は本発明の実施例２の無線データ収集システムを示すブロック図である。
図２において、図１と同じ機能を有するものは同じ名称、同じ符号として説明を省略する。４は無線機親機６に内蔵されたキャリアビジーカウント部７で判定した無線機親機６の設置状況異常通報をセンター側装置１０へ通報するのと同時に無線機親機６自身で報知を行う報知手段である。
【００２６】
図２において、ガスメータ１とセンター側装置１０との通信手順は実施例１の場合と同様である。ここで無線機親機６はキャリアビジーカウント部７で判定した無線機親機６の設置状況異常通報をセンター側装置１０へ通報するのと同時に無線機親機６自身で報知をいち早く行う。
【００２７】
このとき正常と異常表示を区別して出力させる。例えば、報知手段がＬＥＤ、ＬＣＤであれば正常時は点灯、異常時は点滅また、ブザーや音声通報であれば正常だった場合は警報無しで異常であった場合は異常通報を鳴らする。従って、報知手段からの信号が正常信号であった場合は現在の位置のままで設置位置は問題無いが、異常であった場合は無線機親機６の位置を他の無線関連機器から離し設置し直すこととなる。以上のように、無線機親機に報知手段を内蔵することでより無線機親機の設置場所の良否判定が円滑にできる。
【００２８】
（実施例３）
図３は本発明の実施例３の無線データ収集システムを示すブロック図である。
図３において、図２と同じ機能を有するものは同じ名称、同じ符号として説明を省略する。８は無線機親機６が定期的に同じ周波数の電波が出力されているかを確認しその電波が連続して出力されている時間をカウントするキャリアビジー時間カウント部である。
【００２９】
図３において、ガスメータ１とセンター側装置１０との通信手順は実施例２の場合と同様である。ここで、無線機親機６に内蔵したキャリアビジー時間カウント部８により定期的に例えば１０分毎に同じ周波数帯の電波の出力の有無を確認し電波が出力されていると判断するとそれ以降連続して電波が出ている時間を計測する。
【００３０】
また、その長さが所定長（例えば３０分）以上になった場合は、無線機親機６はセンター側装置１０へ無線機親機６の設置環境の変化を通報し、ガスメータ１等からの異常通報がセンター側装置へ通報できないことを事前に知らせることができる。ここでキャリアビジー時間カウント部８は送受信手段５と一体の構成でも良い。
【００３１】
以上のように、無線機親機と無線機子機を設置した後。ガスメータ１等からの緊急通報が他の無線関連機器との設置状況により不能となることがより早く事前に判定できるため、システムの無線データの送受信動作を高信頼性をもって実現することができる。
【００３２】
（実施例４）
図４は本発明の実施例４の無線データ収集システムを示すブロック図である。
図４において、図２と同じ機能を有するものは同じ名称、同じ符号として説明を省略する。１１は無線機親機６に内蔵されるキャリアビジーカウント部７が定期的に同じ周波数の電波が出力されているかを確認しその電波がどの時間帯に多く出力されているかを判定するカレンダ部である。
【００３３】
図４において、ガスメータ１とセンター側装置１０との通信手順は実施例２の場合と同様である。ここで、無線機親機６に内蔵したキャリアビジーカウント部７により定期的に例えば１０分毎に同じ周波数帯の電波の出力の有無を確認し電波が出力されていると判断するとカレンダ部１１に対し電波出力状況の有無を知らせる。これにより無線機親機６はどの時間帯に多くキャリアビジーが発生しているかを確認できるため、従ってインターネット接続等による無線関連機器との干渉での設置状況異常とより正確に判断できる。
【００３４】
以上のように、無線機親機と無線機子機を設置した後。ガスメータ１等からの緊急通報が他の無線関連機器との設置状況により不能となることがより早く正確に前もって判定できるため、システムの無線データの送受信動作を高信頼性をもって実現することができる。
【００３５】
（実施例５）
図５は本発明の実施例５の無線データ収集システムを示すブロック図である。
図５において、図２と同じ機能を有するものは同じ名称、同じ符号として説明を省略する。１２は無線機親機６が定期的に同じ周波数の電波が出力されているかを確認しその電波の周辺の周波数全てが出力されていることを判定する複数ｃｈキャリアビジー判定部である。
【００３６】
図５において、ガスメータ１とセンター側装置１０との通信手順は実施例２の場合と同様である。ここで、無線機親機６に内蔵した複数ｃｈキャリアビジー判定部１２により定期的に例えば１０分毎に周波数帯の近い複数の周波数例えば４２９．１７５０ＭＨｚ、４２９．１８７５ＭＨｚ、４２９．２０００ＭＨｚの３カ所の電波の出力の有無を確認し全ての周波数帯で同時に電波が出力されていると判断すると、他の無線関連機器動作中によるノイズに影響を受け無線通信が出来ない状況であると判断し、無線機親機６はセンター側装置１０へ無線機親機６の設置環境の変化を通報し、ガスメータ１等からの異常通報がセンター側装置へ通報できないことを事前に知らせることができる。ここで複数ｃｈキャリアビジー判定部１２は送受信手段５と一体の構成でも良い。
【００３７】
以上のように、無線機親機と無線機子機を設置した後。ガスメータ１等からの緊急通報が他の無線関連機器との設置状況により不能となることがより早く正確に前もって判定できるため、システムの無線データの送受信動作を高信頼性をもって実現することができる。
【００３８】
【発明の効果】
以上説明したように本発明によれば、設置後でもガスメータ等から警報が出るる前に無線機親機の設置状況の変化を前もってセンター側装置に警告することができ、事前に無線機親機の設置位置を変えてもらうことが出来るため、よりシステムの無線データの送受信動作を高信頼性をもって実現することができる。
【図面の簡単な説明】
【図１】本発明の実施例１における無線データ収集システムのブロック図
【図２】本発明の実施例２における無線データ収集システムのブロック図
【図３】本発明の実施例３における無線データ収集システムのブロック図
【図４】本発明の実施例４における無線データ収集システムのブロック図
【図５】本発明の実施例５における無線データ収集システムのブロック図
【図６】従来の無線データ収集装置のブロック図
【符号の説明】
１、２１  ガスメータ
２、２２  無線機子機
４  報知手段
５、２６  送受信手段
６、２５  無線機親機
７  キャリアビジーカウント部
８  キャリアビジー時間カウント部
９、２７  電話回線等の回線
１０、２８  センター側装置
１１  カレンダ部
１２  複数ｃｈキャリアビジー判定部
【図１】
2004180105.tif 000003
【図２】
2004180105.tif 000004
【図３】
2004180105.tif 000005
【図４】
2004180105.tif 000006
【図５】
2004180105.tif 000007
【図６】
2004180105.tif 000008